(57)【要約】【課題】この発明は、軽量で安価でどんな場所でも１つ又は複数の携帯電話を保管可能な携帯電話用マルチラックを開発・提供する事にある。【解決手段】そこで、この発明は、携帯電話用ラック本体の上下・左右に連接可能な係止部と上部中央部に名札取り付け部を設け、且つ、該携帯電話の落下防止用ゴムバンド等の弾性部材を係着可能な係止部を設け、且つ、ジョイントサポートと係止場所に適合した引っ掛け型やマグネット型や吸盤型やクリップ型等の固着部材を選択して連接し、多種多様の場所に固着可能にしたものである。【選択図】  図９
2004329653.tif 000002
【特許請求の範囲】
【請求項１】
黒板や、ゴルフ用カートや、車や、バイクや、自転車等、多種多様の場所に係止可能な携帯電話等の小物のラックにおいて、一般に市販されている携帯電話（ＣＴ）等の小物大に合せた縦寸法（Ｘ）・横寸法（Ｙ）・高さ寸法（Ｈ）が所定寸法を有する箱状の前面板（１ａ）部と、左右両側面板（１ｂ）（１ｃ）部の高さ寸法（Ｈ’）を背面板（１ｄ）部の高さ寸法（Ｈ）のほぼ半分にして携帯電話（ＣＴ）等の小物を容易に入出可能にしたラック本体（１）を設け、且つ、該ラック本体（１）の上下・左右には連接可能な上下係止部（１ｅ）（１ｆ）と左右係止部（１ｇ）（１ｈ）を設け、且つ、該背面板（１ｄ）の上部中央に名札取り付け部（１ｉ）を設け、且つ、該ラック本体（１）の前面板上端中央部と背面板中央部の同一レベル部に逆Ｌ字状の前面係止部（１ｊ）と、背面係止部（１ｋ）を相対方向に設け、且つ、上部係止部（１ｅ）の上面部及び背面上端部にジョイントサポート（２）の板厚寸法（Ｔ）と、横幅寸法（Ｌ）に合わせた矩形状の切欠穴（１ｏ）（１ｐ）を設け、且つ、該背面板（１ｄ）の係止部（１ｋ）上に矩形状の切欠穴（１ｌ）を設けて携帯電話等の小物落下防止用ゴムバンド等の弾性部材（Ｒ）を係着し、且つ、該背面板（１ｄ）の裏面中央下部に側面視がほぼ逆Ｌ字状で背面視がほぼ門型形状の係止部（１ｍ）と、富士山形状の切欠穴（１ｎ）を設けて吸盤等の固定部材（５ｂ）を係止可能にした事を特徴とする携帯電話等の小物のマルチラック。
【請求項２】
ラック本体上部係止部（１ｅ）の上面及び背面上端部に設けた矩形状の切欠穴（１ｏ）（１ｐ）に、Ｌ字形状の係止部（１ｃ）を嵌挿して連接するジョイントサポート（２）において、該ジョイントサポート（２）の板厚寸法（Ｔ）及び横幅寸法（Ｌ）が所定寸法を有し、且つ、該ジョイントサポート本体（２ａ）の上部係止部（２ｂ）を二段¬形状に折り曲げ形成し、且つ、該ジョイントサポート本体（２ａ）の下部係止部（２ｃ）をＬ字形状に折り曲げ形成した事を特徴とする請求項１記載の携帯電話等の小物のマルチラック。
【請求項３】
ラック本体（１）上部に連接したジョイントサポート（２）の上部係止部（２ｂ）に、係止場所に適合した各種固定部材（３）（４）（５）（６）を選択し、且つ、該固定部材（３）（４）（５）（６）下部の係止部（３ｃ）（４ｃ）（５ｃ）（６ｃ）をジョイントサポート（２）の上部係止部（２ｂ）に適合する二段¬形状に折り曲げ形成し、且つ、上部係止部が多種多様の場所に係止可能な各種固定部材（３）（４）（５）（６）からなる固定部材において、各種固定部材本体（３ａ）（４ａ）（５ａ）（６ａ）の上部係止部（３ｂ）を釣り針形状に折り曲げ形成したぶら下げ型、或いはマグネット等の固定部材（４ｂ）を埋設して固着するマグネット型、或いは吸盤等の固定部材（５ｂ）を設けて固着する吸盤型、或いはクリップ等の固定部材（６ｂ）を設けて固着するクリップ型から成る事を特徴とする請求項１及び請求項２記載の携帯電話等の小物のマルチラック。
【発明の詳細な説明】
【０００１】
【発明の属する技術分野】
この発明は、携帯電話等の小物のマルチラックに関するものである。
【０００２】
【従来の技術】
従来、携帯電話等の小物のラックは、ビニールや、布や、合成皮製等で作られ、人間の衣服やバンド等に固定するものが多く市販されているが、連接して並べて保管したり、何処へでも係止できるものではない。
【０００３】
又、ゴルフ等のスポーツをする時や、車を運転する時等は衣服やバンド等、身の周りに付けていると邪魔になって煩わしい時には、カバンやロッカー等に収納してしまう為、使用出来ない事が多い。又、従来品の携帯電話のラックは電話機の全体を覆っている為、電話が鳴っていても、良く聞こえない場合がある等の問題があった。
【０００４】
【発明が解決しようとする課題】
そこで、この発明は上記の問題点を解決する為、軽量で安価で呼び出し音が良く聞こえ、どんな場所でも１つ又は複数の携帯電話等の小物を保管可能なマルチラックを開発・提供する事にある。
【０００５】
【課題を解決するための手段】
そこで、この発明は、携帯電話等の小物のラック本体の上下・左右に連接可能な係止部と上部中央部に名札取り付け部を設け、且つ、該携帯電話等の小物の落下防止用ゴムバンド等の弾性部材を係着可能な係止部を設け、且つ、ジョイントサポートと係止場所に適合した引っ掛け型や、マグネット型や、吸盤型やクリップ型等の固着部材を選択して連接し、多種多様の場所に固着可能にしたものである。
【０００６】
【発明の実施の形態】
そこで、この発明の一実施例を図１〜図８に基づいて詳述すると、一般に市販されている携帯電話（ＣＴ）等の小物大に合せた縦寸法（Ｘ）・横寸法（Ｙ）・高さ寸法（Ｈ）が所定寸法を有する箱状の前面板（１ａ）部と、左右両側面板（１ｂ）（１ｃ）部の高さ寸法（Ｈ’）を背面板（１ｄ）部の高さ寸法（Ｈ）のほぼ半分にして携帯電話（ＣＴ）等の小物を容易に入出可能にしたラック本体（１）を設け、且つ、該ラック本体（１）の上下・左右には連接可能な上下係止部（１ｅ）（１ｆ）と、左右係止部（１ｇ）（１ｈ）を設け、且つ、該背面板（１ｄ）の上部中央に、名札取り付け部（１ｉ）を設け、且つ、該ラック本体（１）の前面板上端中央部と、背面板中央部の同一レベル部に逆Ｌ字状の前面係止部（１ｊ）と、背面係止部（１ｋ）を相対方向に設け、且つ、上部係止部（１ｅ）の上面部及び背面上端部に、ジョイントサポート（２）の板厚寸法（Ｔ）と横幅寸法（Ｌ）に合わせた矩形状の切欠穴（１ｏ）（１ｐ）を設け、且つ、該背面板（１ｄ）の係止部（１ｋ）上に、矩形状の切欠穴（１ｌ）を設けて携帯電話等の小物の落下防止用ゴムバンド等の弾性部材（Ｒ）を係着し、且つ、該背面板（１ｄ）の裏面中央下部に、側面視がほぼ逆Ｌ字状で背面視がほぼ門型形状の係止部（１ｍ）と、富士山形状の切欠穴（１ｎ）を設けて吸盤等の固定部材（５ｂ）を係止可能にした事を特徴とする携帯電話等の小物のマルチラックから構成される。
【０００７】
又、ラック本体上部係止部（１ｅ）の上面及び背面上端部に設けた矩形状の切欠穴（１ｏ）（１ｐ）にＬ字形状の係止部（１ｃ）を嵌挿して連接するジョイントサポート（２）において、該ジョイントサポート（２）の板厚寸法（Ｔ）及び横幅寸法（Ｌ）が所定寸法を有し、且つ、該ジョイントサポート本体（２ａ）の上部係止部（２ｂ）を二段¬形状に折り曲げ形成し、且つ、該ジョイントサポート本体（２ａ）の下部係止部（２ｃ）をＬ字形状に折り曲げ形成した事を特徴とする請求項１記載の携帯電話等の小物のマルチラックから構成される。
【０００８】
又、ラック本体（１）上部に連接したジョイントサポート（２）の上部係止部（２ｂ）に、係止場所に適合した各種固定部材（３）（４）（５）（６）を選択し、且つ、該固定部材（３）（４）（５）（６）下部の係止部（３ｃ）（４ｃ）（５ｃ）（６ｃ）をジョイントサポート（２）の上部係止部（２ｂ）に適合する二段¬形状に折り曲げ形成し、且つ、上部係止部が多種多様の場所に係止可能な各種固定部材（３）（４）（５）（６）からなる固定部材において、各種固定部材本体（３ａ）（４ａ）（５ａ）（６ａ）の上部係止部（３ｂ）を釣り針形状に折り曲げ形成したぶら下げ型、或いはマグネット等の固定部材（４ｂ）を埋設して固着するマグネット型、或いは吸盤等の固定部材（５ｂ）を設けて固着する吸盤型、或いはクリップ等の固着部材（６ｂ）を設けて固着するクリップ型から成る事を特徴とする請求項１及び請求項２記載の携帯電話等の小物のマルチラックから構成される。
【０００９】
次に、ラック本体（１）の各部の機能について説明すると、まず上下の係止部（１ｇ）（１ｈ）、及び左右の係止部（１ｅ）（１ｆ）は図９に示す様にラック本体（１）を上下縦並びに連接したり、図１０に示す様に、ラック本体（１）を左右横並びに連接する為のもので、これらを更に保管場所の状況に合わせて固定部材（３）（４）（５）（６）を変更可能にする為に、ラック本体（１）上部の係止部上面及び背面部に矩形状の切欠穴（１ｏ）（１ｐ）を設け、そこにジョイントサポート（２）の係止部（２ｃ）を嵌着し、更にその上部に固定部材を保管場所に合せて選択し、係止する。そして、図９及び図１０の場合は黒板（Ｂ）等の縦板状の場所にぶら下げる場合を示し、この場合、固定部材はぶら下げ型（３）を使用する。
【００１０】
又、この他スチールボード等の板面に取り付ける場合は、マグネット型（４）を使用し、ガラス板等の板面に取り付ける場合は、吸盤型（５）を使用し、更に、自転車のハンドル等、パイプ状の部材に固定する場合は、クリップ型（６）を使用すれば簡単に固着可能である。
【００１１】
又、ラック本体（１）の前面板上端中央部と背面板中央部の同一レベル部に逆Ｌ字状の前面係止部（１ｊ）と背面係止部（１ｋ）を相対方向に設け、且つ、上部係止部（１ｅ）の上面部及び背面上端部にジョイントサポート（２）の板厚寸法（Ｔ）と横幅寸法（Ｌ）に合わせた矩形状の切欠穴（１ｏ）（１ｐ）を設け、且つ、該背面板（１ｄ）の係止部（１ｋ）上に矩形状の切欠穴（１ｌ）を設けてゴムバンド等の弾性部材（Ｒ）を係着している。
【００１２】
又、ラック本体（１）の背面板（１ｄ）の上部中央に名札取り付け部（１ｉ）を設け、複数のラックを連接した場合でも、持ち主が明確に成る様になっている。
【００１３】
そして、ラック本体（１）の背面板（１ｄ）の裏面中央下部に側面視がほぼ逆Ｌ字状で背面視が門型形状の係止部（１ｍ）を設け、カバンやノート等の薄板状の部材に簡単にワンタッチで差し込みが可能に成っており、且つ、該係止部（１ｍ）の中央部に富士山形状の切欠穴（１ｎ）を設けてラック本体（１）にも直接吸盤等の係止部材（Ｓ）を係止出来る様になっている。
【００１４】
次に、ジョイントサポート（２）について説明すると、板厚寸法（Ｔ）及び横幅寸法（Ｌ）が所定寸法を有し、且つ、矩形の板状をした、ジョイントサポート本体（２ａ）の上部を二段¬形状（２ｂ）に折り曲げ形成し、且つ、該ジョイントサポート本体（２ａ）の下部をＬ字形状（２ｃ）に折り曲げ形成し、ラック本体上部係止部（１ｅ）の上面及び背面部に設けた矩形状の切欠穴（１ｏ）（１ｐ）部に前後両面どちらからでも係止可能にしたものである。
【００１５】
続いて、各種４種類の固定部材（３）（４）（５）（６）について説明すると、ます最初にぶら下げ型は、板状の固定部材本体（３ａ）の上部係止部（３ｂ）を釣り針形状に折り曲げ形成し、且つ、該固定部材本体（３ａ）の下部係止部（３ｃ）をジョイントサポート（２）の上部係止部（２ｂ）に適合する二段¬形状に折り曲げ形成したもので、学校等の教材用の黒板や車の後方ミラー等にぶら下げて使用する時に用いるものである。
【００１６】
又、マグネット型は、板状の固定部材本体（４ａ）の上部係止部にマグネット等の固定部材（４ｂ）を埋設し、且つ、該固定部材本体（４ａ）の下部係止部（４ｃ）をジョイントサポート（２）の上部係止部（２ｂ）に適合する二段¬形状に折り曲げ形成したもので、スチールボード等にマグネット部を吸着させて使用する時に用いるものである。
【００１７】
又、吸盤型は、板状の固定部材本体（５ａ）の上部係止部に吸盤等の固定部材（５ｂ）を固着し、且つ、該固定部材本体（５ａ）の下部係止部（５ｃ）をジョイントサポート（２）の上部係止部（２ｂ）に適合する二段¬形状に折り曲げ形成したもので、ガラス板やタイル等の表面がつるつるした場所に吸着させて使用する時に用いるものである。
【００１８】
そして、クリップ型は、板状の固定部材本体（６ａ）の上部係止部にクリップ等の固定部材（６ｂ）を固着し、且つ、該固定部材本体（６ａ）の下部係止部（６ｃ）をジョイントサポート（２）の上部係止部（２ｂ）に適合する二段¬形状に折り曲げ形成したもので、小径の円筒状のパイプ部や薄板状の壁板部等に挟んで使用する時に用いるものである。
【００１９】
【他の実施の形態】
又、上記の他、自転車専用のクリップ型携帯電話等の小物のラックとして、ラック本体（１）の背面中央上部に自転車のハンドル等にワンタッチで係止可能な半円筒状のアームを有し、且つ、回転可能なクリップを固着する事で、自転車が傾いても常に垂直状態を維持出来る。
【００２０】
【発明の効果】
携帯電話等の小物の固定手段をゴムバンド等の固定部材（Ｒ）で係止し、ラック本体（１）の上下・左右に連接可能な上下係止部（１ｅ）（１ｆ）と左右係止部（１ｇ）（１ｈ）を設ける事で、上下縦並び、又は、左右横並びに複数の携帯電話等の小物のラックが係止可能と成る為、連接して複数の携帯電話（ＣＴ）等の小物が保管可能となり、且つ、携帯電話等の小物の出し入れが容易で、呼び出し音が良く聞こえ、経済的にも割安になる。
【００２１】
又、ラック本体（１）の上部にジョイントサポート（２）と係止場所に適合した各種複数種類の固着部材（３）（４）（５）（６）を係止可能にする事で、多種多様の所でも携帯電話等の小物が保管可能となる等、極めて有益なる効果を奏するものである。
【図面の簡単な説明】
【図１】この発明の一実施例を示し、（Ａ）はラック本体の平面図で、（Ｂ）は正面図で、（Ｃ）は底面図である。
【図２】この発明の一実施例を示し、（Ａ）はラック本体の一部欠截左側面図で、（Ｂ）は一部欠截右側面図である。
【図３】この発明の一実施例を示し、ラック本体の背面図である。
【図４】この発明の一実施例を示し、（Ａ）はジョイントサポートの正面図で、（Ｂ）は左側面図である。
【図５】この発明の一実施例を示し、（Ａ）はぶら下げ型固定部材の一部欠截正面図で、（Ｂ）は右側面図である。
【図６】この発明の一実施例を示し、（Ａ）はマグネット型固定部材の一部欠截正面図で、（Ｂ）は一部欠截右側面図である。
【図７】この発明の一実施例を示し、（Ａ）は吸盤型固定部材の正面図で、（Ｂ）は一部欠截右側面図である。
【図８】この発明の一実施例を示し、（Ａ）はクリップ型固定部材の正面図で、（Ｂ）は右側面図である。
【図９】この発明の使用例を示し、上下縦並び状態の斜視図である。
【図１０】この発明の使用例を示し、左右横並び状態の斜視図である。
【符号の説明】
１  ラック本体
１ａ  前面板
１ｂ  左側面板
１ｃ  右側面板
１ｄ  背面板
１ｅ  上係止部
１ｆ  下係止部
１ｇ  左係止部
１ｈ  右係止部
１ｉ  名札取り付け部
１ｊ  前面係止部
１ｋ  背面係止部
１ｌ  矩形状の切欠穴
１ｍ  背面板裏面中央下部の係止部
１ｎ  富士山形状の切欠穴
１ｏ  矩形状の切欠穴
１ｐ  矩形状の切欠穴
２  ジョイントサポート
２ａ  ジョイントサポート本体
２ｂ  上部係止部
２ｃ  下部係止部
３  ぶら下げ型固定部材
３ａ  固定部材本体
３ｂ  釣り針形状の上部係止部
３ｃ  下部係止部
４  マグネット型固定部材
４ａ  固定部材本体
４ｂ  マグネット等の固定部材
４ｃ  下部係止部
５  吸盤型固定部材
５ａ  固定部材本体
５ｂ  吸盤等の固定部材
５ｃ  下部係止部
６  クリップ型固定部材
６ａ  固定部材本体
６ｂ  クリップ等の固定部材
６ｃ  下部係止部
Ｂ  黒板
ＣＴ  携帯電話
Ｒ  ゴムバンド等の弾性部材
Ｘ  ラック本体の縦寸法
Ｙ  ラック本体の横寸法
Ｈ  ラック本体背面板部の高さ寸法
Ｈ’  前面板部と、左右両側面板部の高さ寸法
Ｌ  ジョイントサポートの横幅寸法
Ｔ  ジョイントサポートの板厚寸法
【図１】
2004329653.tif 000003
【図２】
2004329653.tif 000004
【図３】
2004329653.tif 000005
【図４】
2004329653.tif 000006
【図５】
2004329653.tif 000007
【図６】
2004329653.tif 000008
【図７】
2004329653.tif 000009
【図８】
2004329653.tif 000010
【図９】
2004329653.tif 000011
【図１０】
2004329653.tif 000012